【手続補正書】
【提出日】平成20年5月12日(2008.5.12)
【手続補正１】
【補正対象書類名】明細書
【補正対象項目名】特許請求の範囲
【補正方法】変更
【補正の内容】
【特許請求の範囲】
【請求項１】
原稿のドキュメント上の画像を、印刷された媒体から読取デバイスによって使用される電子媒体にレンダリングする方法であって、該方法は、
画像から反射された光をデジタル画像データ（ＤＩＤ）に変換するステップと、
該ＤＩＤをメモリバッファ内に記憶するステップと、
該ＤＩＤを画像プロセッサに送り画像処理をするか、または読取デバイスに送るかを選択するステップとを含む前記方法。
【請求項２】
オペレータによって操作され、印刷された資料（素材、material）を読取デバイスによって使用される電子データに変換するスキャニングシステムであって、該スキャニングシステムは、
光を生のデジタル画像データ（ＤＩＤ）に変換するトランスデューサと、
該生のＤＩＤを受け取り、該生のＤＩＤを処理して、処理されたＤＩＤを供給する画像プロセッサと、
データを読取デバイスに供給する出力データパスと、
データを記憶するメモリバッファと、
前記ＤＩＤを前記画像プロセッサ、前記出力データパス、および前記メモリバッファに向けるコントローラと、
を備えた前記システム。
【請求項３】
オペレータによって操作され、印刷された資料（素材、material）を読取デバイスによって使用される電子データに変換するスキャニングシステムであって、該システムは、
光を生のデジタル画像データ（ＤＩＤ）に変換するトランスデューサと、
該生のＤＩＤを受け取り該生のＤＩＤを処理して、処理されたＤＩＤを提供する画像プロセッサと、
データを読取デバイスに提供する出力データパスと、
データを記憶するメモリバッファと、
オペレータによってプログラミングされ、前記ＤＩＤを該メモリバッファに記憶するか、前記画像プロセッサによって処理するか、前記出力データパスに供給するか、または前記画像プロセッサによって処理してから前記メモリバッファに記憶するかを制御するコントローラと、
を備えた前記スキャニングシステム。
【請求項４】
オペレータによって操作される、印刷された資料（素材、material）を読取デバイスによって使用される電子データに変換するスキャニングシステムであって、該システムは、
光を生のデジタル画像データ（ＤＩＤ）に変換するトランスデューサと、
該生のＤＩＤを受け取り該生のＤＩＤを処理して、処理されたＤＩＤを提供する画像プロセッサと、
データを読取デバイスに提供する出力データパスと、
生のＤＩＤおよび／または処理されたＤＩＤを記憶するメモリバッファと、
該ＤＩＤを少なくとも３つの動作モードで使用するコントローラであって、該３つのモードは、前記生のＤＩＤを前記出力データパスに供給する直接スキャン動作モードと、前記処理されたＤＩＤを前記出力データパスに供給する画像処理動作モードと、前記メモリバッファに記憶されたデータを前記出力データパスに供給するプリプレスモードである、前記コントローラと、
を備えた前記スキャニングシステム。
【請求項５】
オペレータによって操作される、１枚または複数枚の原稿ページ上に印刷された資料を読取デバイスによって使用される電子データに変換するスキャニングシステムであって、該スキャニングシステムは、
前記原稿からの光を生のデジタル画像データ（ＤＩＤ）に変換するトランスデューサ手段と、
前記原稿を該トランスデューサに供給するフィーダ手段と、
前記生のＤＩＤを受け取り、該生のＤＩＤを処理されたＤＩＤに処理する画像プロセッサ手段と、
データを前記読取デバイスに供給する出力データパス手段と、
前記生のＤＩＤおよび／または前記処理されたＤＩＤを記憶するメモリバッファ手段と、
前記データを少なくとも３つの動作モードで使用するコントローラであって、該３つのモードは、前記原稿のページからの前記生のＤＩＤを前記出力データパスに供給する直接スキャン動作モードと、前記の原稿ページからの前記処理されたＤＩＤを前記出力データパスに供給する画像処理動作モードと、前記メモリバッファに記憶されたデータを前記出力データパスに供給するプリプレスモードである、前記コントローラ手段と、
を備えたスキャニングシステム。
【手続補正２】
【補正対象書類名】明細書
【補正対象項目名】００３８
【補正方法】変更
【補正の内容】
【００３８】
本発明は高速、大量、高解像度のスキャナに関する新しい機能を企図していることが理解されるであろう。本発明を例示的な実施形態で示し、説明したが、当業者であれば本発明の精神と範囲から離れることなく、上述の変更または種々の他の変更、省略、追加を本発明に加えられることが理解されるであろう。
本発明の実施形態では、原稿のドキュメント上の画像を、印刷された媒体から読取デバイスによって使用される電子媒体にレンダリングする方法であって、該方法は、画像から反射された光をデジタル画像データ（ＤＩＤ）に変換するステップと、該ＤＩＤをメモリバッファ内に記憶するステップと、該ＤＩＤを画像プロセッサに送り画像処理をするか、または読取デバイスに送るかを選択するステップとを含むことができる。
本発明の実施形態では、オペレータによって操作され、印刷された資料（素材、material）を読取デバイスによって使用される電子データに変換するスキャニングシステムであって、該スキャニングシステムは、光を生のデジタル画像データ（ＤＩＤ）に変換するトランスデューサと、該生のＤＩＤを受け取り、該生のＤＩＤを処理して、処理されたＤＩＤを供給する画像プロセッサと、データを読取デバイスに供給する出力データパスと、データを記憶するメモリバッファと、前記ＤＩＤを前記画像プロセッサ、前記出力データパス、および前記メモリバッファに向けるコントローラとを備えることができる。
本発明の実施形態では、オペレータによって操作され、印刷された資料（素材、material）を読取デバイスによって使用される電子データに変換するスキャニングシステムであって、該システムは、光を生のデジタル画像データ（ＤＩＤ）に変換するトランスデューサと、 該生のＤＩＤを受け取り該生のＤＩＤを処理して、処理されたＤＩＤを提供する画像プロセッサと、データを読取デバイスに提供する出力データパスと、データを記憶するメモリバッファと、オペレータによってプログラミングされ、前記ＤＩＤを該メモリバッファに記憶するか、前記画像プロセッサによって処理するか、前記出力データパスに供給するか、または前記画像プロセッサによって処理してから前記メモリバッファに記憶するかを制御するコントローラとを備えることができる。
本発明の実施形態では、オペレータによって操作される、印刷された資料（素材、material）を読取デバイスによって使用される電子データに変換するスキャニングシステムであって、該システムは、光を生のデジタル画像データ（ＤＩＤ）に変換するトランスデューサと、該生のＤＩＤを受け取り該生のＤＩＤを処理して、処理されたＤＩＤを提供する画像プロセッサと、データを読取デバイスに提供する出力データパスと、生のＤＩＤおよび／または処理されたＤＩＤを記憶するメモリバッファと、該ＤＩＤを少なくとも３つの動作モードで使用するコントローラであって、該３つのモードは、前記生のＤＩＤを前記出力データパスに供給する直接スキャン動作モードと、前記処理されたＤＩＤを前記出力データパスに供給する画像処理動作モードと、前記メモリバッファに記憶されたデータを前記出力データパスに供給するプリプレスモードである、前記コントローラとを備えることができる。
本発明の実施形態では、オペレータによって操作される、１枚または複数枚の原稿ページ上に印刷された資料を読取デバイスによって使用される電子データに変換するスキャニングシステムであって、該スキャニングシステムは、前記原稿からの光を生のデジタル画像データ（ＤＩＤ）に変換するトランスデューサ手段と、前記原稿を該トランスデューサに供給するフィーダ手段と、前記生のＤＩＤを受け取り、該生のＤＩＤを処理されたＤＩＤに処理する画像プロセッサ手段と、データを前記読取デバイスに供給する出力データパス手段と、前記生のＤＩＤおよび／または前記処理されたＤＩＤを記憶するメモリバッファ手段と、前記データを少なくとも３つの動作モードで使用するコントローラであって、該３つのモードは、前記原稿のページからの前記生のＤＩＤを前記出力データパスに供給する直接スキャン動作モードと、前記の原稿ページからの前記処理されたＤＩＤを前記出力データパスに供給する画像処理動作モードと、前記メモリバッファに記憶されたデータを前記出力データパスに供給するプリプレスモードである、前記コントローラ手段とを備えることができる。
本発明の実施形態では、オペレータによって操作される、１枚または複数枚の原稿ページ上に印刷された資料を読取デバイスによって使用される電子データに変換するスキャニングシステムであって、該スキャニングシステムは、原稿からの光を生のデジタル画像データ（ＤＩＤ）に変換するトランスデューサと、該原稿を該トランスデューサに供給するフィーダと、前記生のＤＩＤを受け取り、該生のＤＩＤを処理し、処理されたＤＩＤを提供する画像プロセッサと、データを前記読取デバイスに供給する出力データパスと、前記生のＤＩＤを記憶する第１のメモリバッファと、 前記処理されたＤＩＤを記憶する第２のメモリバッファと、スキャニング装置を制御して第１の画像処理動作モードを提供し、データを前記第１のメモリバッファまたは前記第２のメモリバッファから前記出力データパスへ供給するコントローラとを備えることができる。
本発明の実施形態では、スキャニングシステムを動作させて１枚または複数の原稿ページに印刷された資料を読取デバイスによって使用される電子データに変換する方法であって、該方法は、原稿をトランスデューサに供給するステップと、該原稿からの光を生のデジタル画像データ（ＤＩＤ）に変換するステップと、該生のＤＩＤを第１のメモリバッファに記憶するステップと、該生のＤＩＤを処理し該処理されたＤＩＤを第２のメモリバッファに記憶するステップと、前記第１のメモリバッファまたは前記第２のメモリバッファからデータを読取デバイスに供給するステップとを含むことができる。
本発明の実施形態では、オペレータによって操作され、印刷された資料を読取デバイスによって使用される電子データに変換するスキャニングシステムであって、該システムは、光を生のデジタル画像データ（ＤＩＤ）に変換するトランスデューサ手段と、該生のＤＩＤを受け取り該生のＤＩＤを処理する画像プロセッサ手段と、データを読取デバイスに供給するデータパス手段と、データを記憶するメモリ手段と、前記ＤＩＤを前記メモリ手段に記憶するか、前記画像プロセッサ手段によって処理するか、前記データパス手段に供給するか、または前記画像プロセッサ手段によって処理して前記メモリバッファ手段内に記憶するかどうかを制御するコントローラとを備えることができる。
また、本発明の実施形態に係る上記方法及びスキャニングシステムにおいて、読取デバイスは、デジタル印刷エンジン、又はコンピュータとすることができる。
また、本発明の実施形態に係る上記方法及びスキャニングシステムにおいて、上記画像操作は、画像の拡大を含むことができる。